(57)【要約】      （修正有）【課題】所定量以上の殺鼠用毒餌剤を袋体に収容した殺鼠材を、巣の出入り口から巣の内部に入れやすくすることで鼠の駆除効果を高める殺鼠材を提供する。【解決手段】殺鼠用毒餌剤と、殺鼠用毒餌剤を収容する袋体１０とを備えた殺鼠材１において、袋体１０には折り曲げ部１３が設けられている。【選択図】図１
2019140928.tif 000002
【特許請求の範囲】
【請求項１】
殺鼠用毒餌剤と、
前記殺鼠用毒餌剤を収容する袋体とを備えた殺鼠材において、
前記袋体は、当該袋体を折り曲げ可能にする折り曲げ部を有していることを特徴とする殺鼠材。
【請求項２】
請求項１に記載の殺鼠材において、
前記袋体は、前記殺鼠用毒餌剤を収容する第１収容部及び第２収容部を有しており、
前記折り曲げ部は、前記第１収容部及び前記第２収容部の間に設けられていることを特徴とする殺鼠材。
【請求項３】
請求項２に記載の殺鼠材において、
前記袋体は、長い形状とされており、
前記第１収容部及び前記第２収容部は、前記袋体の長手方向に並ぶように設けられ、
前記折り曲げ部は、前記袋体の長手方向中間部に設けられていることを特徴とする殺鼠材。
【請求項４】
請求項２または３に記載の殺鼠材において、
前記折り曲げ部は、前記第１収容部と前記第２収容部とを区画する区画部で構成されていることを特徴とする殺鼠材。
【請求項５】
請求項４に記載の殺鼠材において、
前記区画部は、前記袋体を構成する部材を接合することによって形成されていることを特徴とする殺鼠材。
【請求項６】
請求項３に記載の殺鼠材において、
前記折り曲げ部は、前記袋体の長手方向と直交する方向の一端部から他端部まで連続して形成されていることを特徴とする殺鼠材。
【請求項７】
請求項６に記載の殺鼠材において、
前記折り曲げ部は、前記袋体の長手方向に所定の幅を有していることを特徴とする殺鼠材。
【発明の詳細な説明】
【技術分野】
【０００１】
本発明は、鼠を駆除するための殺鼠材に関し、特に殺鼠用毒餌剤を袋体に収容した構造の技術分野に属する。
【背景技術】
【０００２】
従来より、鼠を駆除する方法として、殺鼠用毒餌剤を鼠に喫食させる方法が知られている（例えば、特許文献１〜５参照）。特許文献１の殺鼠材は、殺鼠用毒餌剤を内部に収容する袋体を備えており、この袋体が、通気性を有する不織布からなるとともに、鼠が咥えて巣に持ち帰る気にさせる行動誘起部を有している。この行動誘起部は、袋体における接合片で構成されていて、殺鼠材の設置時に上方に突出した形状を維持するようになっている。
【０００３】
特許文献２の殺鼠材は、殺鼠用毒餌剤が袋体に自動包装されたものである。袋体には、不織布をシールしたシール部と、シールしていない非シール部とが設けられており、非シール部を、当該袋体の全周の所定範囲以上にしている。これにより、シール部が形成される範囲を少なくして殺鼠用毒餌剤の喫食率の向上を図っている。
【０００４】
特許文献３の殺鼠材は、袋体を不織布で構成したものである。この袋体を構成する不織布の坪量を所定範囲とすることにより、鼠が袋体を破りやすくするとともに、殺鼠用毒餌剤から放散される誘引臭を袋体の外部に放出しやすくしている。
【０００５】
特許文献４の殺鼠材は、袋体をフィルムで構成している。この袋体を構成するフィルムの酸素透過率と水蒸気透過率を所定範囲にすることで、殺鼠用毒餌剤の経時的な劣化を抑制している。
【０００６】
特許文献５の殺鼠材は、ポリエチレンをラミネートした紙で袋体を構成したものである。ポリエチレンの厚みを１０μｍ〜３０μｍとすることで鼠の忌避性の減少を図っている。
【先行技術文献】
【特許文献】
【０００７】
【特許文献１】特許第４２９４５７５号公報
【特許文献２】実公昭５５−４２４１号公報
【特許文献３】特開２００７−２３０８９８号公報
【特許文献４】特表平１０−５０６６２５号公報
【特許文献５】特開平１−２３８５０２号公報
【発明の概要】
【発明が解決しようとする課題】
【０００８】
ところで、一般的に、殺鼠用毒餌剤を袋体に収容してなる殺鼠材を使用する場合、殺鼠材は鼠が出てきそうな所に置いておく。鼠は、巣外で殺鼠材を見つけると、巣に持ち帰って殺鼠用毒餌剤を喫食し、さらに巣の内部では他の鼠も殺鼠用毒餌剤を喫食することがあるので、殺鼠材を巣に持ち帰らせることで駆除効果を高めることができる。従って、巣外にある殺鼠材を巣に持ち帰ることが鼠にとって容易でなければ、殺鼠材を鼠が出てきそうな所に置いていたとしても駆除効果はそれほど高まらないと考えられる。
【０００９】
一方で殺鼠用毒餌剤は、殺鼠成分が濃すぎると鼠が警戒して喫食しないことがあるため、鼠に警戒心を抱かせないように相当の割合で食餌物質を含むことが好ましく、必然的に体積がかさむ。また殺鼠成分の種類によっては、鼠に数日間に渡って喫食させなければ効果が現れないものがある。この場合、数回に分けて喫食されるように、１つの袋体に収容する殺鼠用毒餌剤の量は所定量以上確保する必要がある。このような理由により、殺鼠用毒餌剤を収容した袋体の大きさが大きくなってしまう。しかしながら、鼠の巣の出入り口は狭くなっているので、所定量以上の殺鼠用毒餌剤が収容された袋体を鼠が巣の出入り口から巣の内部に入れることは容易ではないと考えられる。この点、殺鼠用毒餌剤が収容された袋体を、鼠が巣の内部に入れやすくなるようにする技術は、従来知られていない。
【００１０】
すなわち、特許文献１では、殺鼠材の設置時に上方に突出した形状を維持する行動誘起部を袋体の接合片で構成し、この行動誘起部を鼠に咥えさせて殺鼠材を巣に持ち帰らせることを狙っているが、鼠が行動誘起部を咥えて殺鼠材を巣の内部へ引っ張ったとしても、所定量以上の殺鼠用毒餌剤が収容された袋体は大きく、このため袋体が巣の出入り口の周囲に当たって容易には引き込めず、その結果、鼠が引っ張るのをあきらめてしまう恐れがある。
【００１１】
また特許文献２では、袋体の非シール部の範囲を広くすることによって殺鼠用毒餌剤の喫食率の向上を図っているが、殺鼠材を巣に持ち帰るのが容易でなければ、結果的に喫食率は向上しにくいものと考えられる。
【００１２】
また特許文献３〜５では、袋体の材質について開示されているが、袋体の材質がどのようなものであっても、袋体の形状が巣の出入り口から入り易い形状でなければ、結果的に喫食率は向上しにくいものと考えられる。
【００１３】
本発明は、かかる点に鑑みてなされたものであり、その目的とするところは、所定量以上の殺鼠用毒餌剤を袋体に収容した殺鼠材を、巣の出入り口から巣の内部に入れやすくすることで鼠の駆除効果を高めることにある。
【課題を解決するための手段】
【００１４】
上記目的を達成するために、本発明では、鼠が殺鼠材を巣の出入り口から巣の内部に入れようとした際に袋体が容易に折れ曲がるようにした。
【００１５】
第１の発明は、殺鼠用毒餌剤と、前記殺鼠用毒餌剤を収容する袋体とを備えた殺鼠材において、前記袋体は、当該袋体を折り曲げ可能にする折り曲げ部を有していることを特徴とする。
【００１６】
この構成によれば、例えば、鼠が袋体を咥えて巣の出入り口から巣の内部に引き込もうとした際、袋体が折り曲げ部を起点として容易に折れ曲がるので、例えば出入り口の寸法よりも長い袋体であっても小さな力で巣の内部に入るようになる。従って、所定量以上の殺鼠用毒餌剤を収容可能な大きな袋体を備えた殺鼠材であっても、鼠が自身の力で巣の出入り口から巣の内部に入れやすくなる。
【００１７】
第２の発明は、前記袋体は、前記殺鼠用毒餌剤を収容する第１収容部及び第２収容部を有しており、前記折り曲げ部は、前記第１収容部及び前記第２収容部の間に設けられていることを特徴とする。
【００１８】
この構成によれば、殺鼠用毒餌剤が第１収容部及び第２収容部に収容された状態で、該第１収容部及び該第２収容部の間の折り曲げ部によって袋体を折り曲げることが可能になる。
【００１９】
第３の発明は、前記袋体は、長い形状とされており、前記第１収容部及び前記第２収容部は、前記袋体の長手方向に並ぶように設けられ、前記折り曲げ部は、前記袋体の長手方向中間部に設けられていることを特徴とする。
【００２０】
この構成によれば、長い形状の袋体として所定量以上の殺鼠用毒餌剤を収容可能にする場合に、袋体の長手方向中間部で当該袋体が折れ曲がるので、殺鼠材が巣の内部に入り易くなる。
【００２１】
第４の発明は、前記折り曲げ部は、前記第１収容部と前記第２収容部とを区画する区画部で構成されていることを特徴とする。
【００２２】
この構成によれば、袋体の区画部は第１収容部と第２収容部とを区画するための部分であることから、殺鼠用毒餌剤が存在しない部分となり、折れ曲がりやすくなる。従って、区画部を折り曲げ部とすることで、区画部とは別に折り曲げ部を設ける場合に比べて袋体がコンパクトになるとともに、容易に折れ曲がるようになる。
【００２３】
第５の発明は、前記区画部は、前記袋体を構成する部材を接合することによって形成されていることを特徴とする。
【００２４】
この構成によれば、区画部が薄肉になるので、袋体がより一層容易に折れ曲がるようになる。また袋体に薄肉な部分ができることで、鼠が袋体を咥えやすくなる。
【００２５】
第６の発明は、前記折り曲げ部は、前記袋体の長手方向と直交する方向の一端部から他端部まで連続して形成されていることを特徴とする。
【００２６】
この構成によれば、折り曲げ部が連続することで袋体がより一層容易に折れ曲がるようになる。
【００２７】
第７の発明は、前記折り曲げ部は、前記袋体の長手方向に所定の幅を有していることを特徴とする。
【００２８】
この構成によれば、折り曲げ部が所定の幅を有しているので、第１収容部及び第２収容部の間隔が所定以上確保されることになる。よって、袋体を折り曲げた際に、第１収容部と第２収容部とが相互に干渉しにくくなり、袋体の折り曲げ角度が大きくなる。
【発明の効果】
【００２９】
第１の発明によれば、殺鼠用毒餌剤を収容する袋体が折り曲げ部を有しているので、所定量以上の殺鼠用毒餌剤を袋体に収容した殺鼠材を、巣の出入り口から巣の内部に入れやすくすることができる。これにより、鼠が巣の内部で殺鼠用毒餌剤を喫食し易くなり、駆除効果を高めることができる。
【００３０】
第２の発明によれば、第１収容部及び第２収容部の間で袋体を折り曲げることができ、折り曲げ後の袋体の長さを十分に短くすることができる。
【００３１】
第３の発明によれば、殺鼠材の袋体を長い形状として所定量以上の殺鼠用毒餌剤を収容可能にする場合に、殺鼠材を巣の内部に入れやすくすることができる。
【００３２】
第４の発明によれば、第１収容部と第２収容部とを区画するための区画部を折り曲げ部としたので、袋体をコンパクトにすることができるとともに、容易に折れ曲がるようにすることができる。
【００３３】
第５の発明によれば、袋体を構成する部材を接合することによって区画部を形成したので、袋体がより一層容易に折れ曲がるようになるとともに、鼠が咥えやすい袋体とすることができる。
【００３４】
第６の発明によれば、折り曲げ部が袋体の長手方向と直交する方向の一端部から他端部まで連続しているので、袋体がより一層容易に折れ曲がるようになる。
【００３５】
第７の発明によれば、折り曲げ部が袋体の長手方向に所定の幅を有しているので、袋体を折り曲げた際に、第１収容部と第２収容部とが相互に干渉しにくくなり、袋体の折り曲げ角度を大きくすることができる。
【図面の簡単な説明】
【００３６】
【図１】本発明の実施形態１に係る殺鼠材の平面図である。
【図２】図１におけるII−II線断面図である。
【図３】実施形態１の変形例１に係る図１相当図である。
【図４】実施形態１の変形例１に係る図２相当図である。
【図５】実施形態１の変形例２に係る図１相当図である。
【図６】試験用ケージの平面図である。
【図７】試験用ケージに設ける仕切板の正面図である。
【図８】出入り口確認用試験器具の平面図である。
【図９】出入り口確認用試験器具に設ける仕切板の正面図である。
【図１０】殺鼠材の引き込み力測定器具の斜視図である。
【図１１】鼠が殺鼠材を咥えて持ち上げた様子を示す図である。
【図１２】鼠が殺鼠材を巣の出入り口近傍まで運ぶ途中を示す図である。
【図１３】鼠が殺鼠材を巣の出入り口近傍まで運んだ状態を示す図である。
【図１４】鼠が出入り口から巣に入る様子を示す図である。
【図１５】鼠が殺鼠材を巣の内部に引き込み始めた様子を示す図である。
【図１６】鼠が殺鼠材を巣の内部に引き込む途中を示す図である。
【図１７】図１６におけるXVII−XVII線断面図である。
【図１８】殺鼠材が巣の内部に引き込まれた状態を示す図１７相当図である。
【図１９】実施形態２に係る図１相当図である。
【発明を実施するための形態】
【００３７】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３８】
（実施形態１）
図１は、本発明の実施形態１に係る殺鼠材１の平面図であり、図２は、図１におけるII−II線断面図である。殺鼠材１は、図２に示すように、殺鼠用毒餌剤２０と、殺鼠用毒餌剤２０を収容する袋体１０とを備えており、鼠の巣の外に置いておき、鼠によって巣の内部に持ち帰らせることにより、巣の内部で鼠に殺鼠用毒餌剤を喫食させることによって鼠を駆除するためのものである。殺鼠材１は、鼠駆除材や鼠駆除製品と呼ぶこともできる。殺鼠材１は、巣の出入り口である巣穴の近傍に置くことや、巣の出入り口から離れた所に置くことができ、設置場所は特に限定されるものではないが、鼠が通りそうな所や巣の出入り口近傍に置くのが好ましい。
【００３９】
（殺鼠用毒餌剤２０）
殺鼠用毒餌剤２０は、例えば粒状、錠剤型、タブレット型、ペレット型、ブロック状等の任意の形状に成形されたものであり、殺鼠成分と食餌物質とを含んでいる。殺鼠成分としては、例えば、ワルファリン、クマテトラリル、クマリン等のクマリン系化合物や、クロロファシノン（Ｃｈｌｏｒｏｐｈａｃｉｎｏｎｅ）、ジファシノン（Ｄｉｐｈａｃｉｎｏｎｅ）、ピンドン（Ｐｉｎｄｏｎｅ）、バロン（Ｖａｌｏｎｅ）等のインダンジオン系化合物や、ジフェチアロール、ジフェナコン、ブロジファコン、ブロマジオロン、フロクマフェン等のトリアリール置換クマリン系化合物や、シリロシド、ホウ酸、フィプロニル、ヒドラメチルノン等の化合物を挙げることができる。
【００４０】
殺鼠成分としては、上記化合物のうち、１種のみまたは任意の２種以上を混合して使用することができる。上記化合物の含有量は、殺鼠効果を発揮することができる程度であればよく、従来から周知の含有量とすることができる。
【００４１】
食餌物質としては、加工、人工、天然を問わず、植物質としてトウモロコシ、ジャガイモ、サツマイモ等の澱粉や澱粉加水分解物、小麦粉、米粉、大豆粉、落花生粉、胡麻粉、野菜粉、フスマ、植物性蛋白質等が挙げられ、動物質としてはサナギ、魚粉、ミルク、動物性蛋白質、飼料用酵母、各種アミノ酸等が挙げられる。炭水化物としては果糖、ブドウ糖、黒砂糖、赤砂糖、三温糖、グラニュー糖、ハチ蜜、サトウキビ果汁などが挙げられる。脂質として各種植物性油脂及び各種動物性油脂例えばゴマ油、ヌカ油、ヤシ油、コーン油、落花生油、バター、卵油、鯨油等が挙げられる。上記食餌物質は自由に又任意に混合且つ配合できる。
【００４２】
殺鼠用毒餌剤２０はさらに必要に応じて、加工、人工、天然を問わず、誘引物質、摂食促進物質、保水剤、防腐剤（殺菌、防黴を含む）、酸化防止剤、増量剤、誤食防止剤、保存料、香料、色素等の各種添加剤を対象動物の嗜好性に合わせて含有することも可能でありその配合、選択、混合などは特に限定されない。
【００４３】
１つの袋体１０には、例えば３ｇ〜８ｇ程度の殺鼠用毒餌剤２０を収容するようにしており、この実施形態では５ｇの殺鼠用毒餌剤２０を収容している。殺鼠用毒餌剤２０に含まれる殺鼠成分が、数日に分けて喫食させることによって駆除効果を発揮するものである場合、１日で全てを喫食してしまわないように、１日で食べきることができる量よりも多い量の殺鼠用毒餌剤２０を１つの袋体１０に収容する。また１匹の鼠が食べきる量よりも多い量の殺鼠用毒餌剤２０を１つの袋体１０に収容しておくことも可能であり、これにより、巣の内部の複数の鼠を１つの殺鼠材１によって駆除することができる。１つの袋体１０に収容する殺鼠用毒餌剤２０の量は、殺鼠成分の種類や含有量、食餌物質の種類や含有量等に応じて任意に設定することができる。また１つの袋体１０に収容する殺鼠用毒餌剤２０の量は、重さによって決定してもよいし、体積によって決定してもよい。ここで、「所定量以上」とは、例えばクマネズミの成獣１匹が１日で全てを喫食できない量のことであり、例えば複数匹（２匹〜３匹）が１日で全てを喫食できない量とすることもできる。基準となる鼠は、クマネズミの成獣（雄でも雌でもよい）とすることができるが、これに限られるものではない。「所定量」は試験等によって得ることができる。
【００４４】
（袋体１０）
袋体１０は、通気性を有し、かつ、鼠が歯や爪で引き裂いたり、ちぎったりすることが可能な部材で構成されており、例えば、不織布、紙、織布等を挙げることができる。不織布を構成する繊維は、例えばポリプロピレン（ＰＰ）やポリエチレンテレフタレート（ＰＥＴ）等の樹脂製繊維を挙げることができる。不織布は、樹脂製繊維と紙とからなるものであってもよい。袋体１０を構成する部材は、熱溶着することが可能な部材とすることができる。袋体１０の通気性は、内部に収容されている殺鼠用毒餌剤２０から放散される誘引物質を袋体１０の外部に放出させることができる程度であれよい。
【００４５】
袋体１０は長い形状とされている。袋体１０には、殺鼠用毒餌剤２０を収容する第１収容部１１及び第２収容部袋体１２が当該袋体１０の長手方向に並ぶように設けられるとともに、第１収容部１１及び第２収容部１２の間に、当該袋体１０を折り曲げ可能にする折り曲げ部１３が設けられている。折り曲げ部１３は、第１収容部１１及び第２収容部１２の間に設けられることから、当該袋体１０の長手方向中間部に設けられることになる。
【００４６】
袋体１０の長手方向（図１の左右方向）の寸法（長さ）は、一般的なクマネズミの成獣が生息する巣の出入り口の最小径よりも長く設定されている。一般的なクマネズミの成獣が生息する巣の出入り口の最小径は、詳細については後述するが、例えば２５ｍｍ〜３０ｍｍ程度である。この実施形態では、袋体１０の長手方向の寸法は、例えば７０ｍｍ以上１５０ｍｍ以下の範囲で設定することができる。袋体１０の長手方向の寸法を７０ｍｍよりも短くすると１つの袋体１０に収容可能な殺鼠用毒餌剤２０の量が少なくなってしまう。袋体１０の長手方向の寸法を７０ｍｍよりも短くした上で所定量の殺鼠用毒餌剤２０を収容するためには、袋体１０の長手方向と直交する方向の寸法（図１に示すＢ）が長くなり、殺鼠材１を巣の出入り口から巣の内部に入れることが困難になり、ひいては殺鼠用毒餌剤２０の喫食率が低下するおそれがある。袋体１０の長さは、９０ｍｍ以上１２０ｍｍ以下の範囲で設定するのがより好ましい。
【００４７】
一方、袋体１０の長手方向の寸法を１５０ｍｍよりも長くすると、袋体１０の寸法Ｂは短くできるものの、鼠が殺鼠材１を持ち運びにくくなる。さらに殺鼠材１が巣の内部に入りにくくなり、ひいては殺鼠用毒餌剤２０の喫食率が低下するおそれがある。
【００４８】
袋体１０の寸法Ｂは、２０ｍｍ以上３０ｍｍ以下の範囲で設定することができる。袋体１０の寸法Ｂは２０ｍｍよりも短いと、１つの袋体１０に収容可能な殺鼠用毒餌剤２０の量が少なくなってしまい、袋体１０の寸法Ｂを２０ｍｍよりも短くした上で所定量の殺鼠用毒餌剤２０を収容するためには、袋体１０の長さが長くなり、鼠が殺鼠材１を持ち運びにくくなるとともに、殺鼠材１が巣の内部に入りにくくなり、ひいては殺鼠用毒餌剤２０の喫食率が低下するおそれがある。袋体１０の寸法Ｂが３０ｍｍよりも長いと、一般的なクマネズミの成獣が生息する巣の出入り口の最小径に近い値またはそれを超えることになり、殺鼠材１を巣の出入り口から巣の内部に入れることが困難になり、ひいては殺鼠用毒餌剤２０の喫食率が低下するおそれがある。
【００４９】
この実施形態では、第１収容部１１及び第２収容部１２の容量を略同じにしており、１つの袋体１０に収容される殺鼠用毒餌剤２０の全量の半分の量が第１収容部１１に収容され、残りの半分の量が第２収容部１２に収容されている。そのため、第１収容部１１の長さＣと第２収容部の長さＤとは略等しく設定されている。寸法Ｃ、Ｄは、例えば３０ｍｍ以上７０ｍｍ以下の範囲で設定することができ、好ましいのは４０ｍｍ以上６０ｍｍ以下である。殺鼠用毒餌剤２０が収容された状態にある第１収容部１１及び第２収容部１２の厚み（図２の上下方向の寸法）は、寸法Ｂよりも短くすることができ、例えば５ｍｍ以上２０ｍｍ以下の範囲で設定することができる。第１収容部１１及び第２収容部１２の厚みは、８ｍｍ以上１２ｍｍ以下がより好ましい。
【００５０】
袋体１０の折り曲げ部１３は、第１収容部１１と第２収容部１２とを区画する区画部で構成されている。区画部は、袋体１０を構成する部材を接合することによって形成された部分であり、第１収容部１１と第２収容部１２に比べて薄い板状をなしている。すなわち、袋体１０を構成する部材が当該袋体１０の長手方向中間部において当該袋体１０の厚み方向に溶着されて接合されている。これにより、第１収容部１１における第２収容部１２側の端部が閉塞されるとともに、第２収容部１２における第１収容部１１側の端部が閉塞されて、第１収容部１１と第２収容部１２との連通が遮断される。従って、折り曲げ部１３はシール部で構成されていると言うことができ、この折り曲げ部１３には殺鼠用毒餌剤２０が存在しない。また折り曲げ部１３は、第１収容部１１及び第２収容部１２よりも薄い板状をなす部分（板状部）と言うこともできる。
【００５１】
折り曲げ部１３は、殺鼠材１に対して曲げ力を作用させた際に、最初に折れ曲がる部分のことであり、折れ曲がり起点部と言うこともできる。この実施形態では、第１収容部１１及び第２収容部１２にそれぞれ殺鼠用毒餌剤２０が収容されているので、殺鼠材１に対して曲げ力を作用させた際に第１収容部１１及び第２収容部１２が曲がりにくくなっている。一方、折り曲げ部１３は区画部であることから内部には殺鼠用毒餌剤２０が無く、薄い板状であるため、曲げ力を作用させた際に、第１収容部１１及び第２収容部１２よりも曲がりやすく、少ない力で曲げることが可能な部分である。
【００５２】
折り曲げ部１３が第１収容部１１及び第２収容部１２の間に位置していることから、第１収容部１１及び第２収容部１２が重なるように、折り曲げ部１３が折れ曲がる。これにより、殺鼠材１の長さ方向の寸法が折れ曲がり前に比べて短くなり、約半分になる。
【００５３】
折り曲げ部１３は、袋体１０の長手方向と直交する方向（幅方向）の一端部から他端部まで連続して形成されている。これにより、より小さな力で折り曲げ部１３を曲げることができる。
【００５４】
さらに、折り曲げ部１３は、袋体１０の長手方向に所定の幅を有している。具体的には、図１に示すように、折り曲げ部１３の幅Ｅは、５ｍｍ以上２０ｍｍ以下の範囲で設定することができ、８ｍｍ以上１５ｍｍ以下の範囲で設定するのがより好ましい。折り曲げ部１３の幅を所定以上確保することで、折り曲げ部１３を折り曲げた際に、第１収容部１１と第２収容部１２とが相互に干渉しにくくなり、袋体１０の折り曲げ角度を大きくすることができる。
【００５５】
（変形例）
図３及び図４は、実施形態１の変形例１に係る殺鼠材１を示すものである。この変形例１では、袋体１０の長手方向両端部にそれぞれ第１シール部１４と第２シール部１５とが設けられている。第１シール部１４と第２シール部１５は、袋体１０の端部を閉塞するための部分であり、折り曲げ部１３と同様に、袋体１０を構成する部材を熱溶着することによって形成されている。第１シール部１４と第２シール部１５が薄い板状になるため、例えば鼠が殺鼠材１を運ぶ際に第１シール部１４や第２シール部１５を咥えることができる。第１シール部１４及び第２シール部１５の一方または両方を省略することもできる。
【００５６】
図５は、実施形態１の変形例２に係る殺鼠材１を示すものである。この変形例２では、折り曲げ部１３が袋体１０の長手方向中央部から長手方向一側に偏位しており、第１収容部１１が第２収容部１２よりも小さくなっている。このように、折り曲げ部１３は袋体１０の長手方向中央部だけでなく、一側に偏位させることもできる。また変形例２では変形例１の第１シール部１４及び第２シール部１５を設けているが、これに限らず、第１シール部１４及び第２シール部１５の一方または両方を省略することもできる。
【００５７】
なお、折り曲げ部１３は、第１収容部１１及び第２収容部１２よりも曲がりやすければ良いのであって、溶着によるシール部でなくても良い。また、第１収容部１１と第２収容部１２が折り曲げ部１３によって完全に遮断されていなくても良く、ある程度連通していても良い。また上記実施形態および変形例の折り曲げ部１３は１箇所であるが、殺鼠材１が２箇所以上で折れ曲がるようにしても良い。
【００５８】
（試験）
次に、実施形態１に係る殺鼠材１の試験について説明する。始めに、図６及び図７に基づいて試験に使用した試験用ケージについて説明する。試験用ケージ１００は、格子状部材で構成されていて、図６に示す平面視で長方形を有している。試験用ケージ１００の短辺方向の寸法Ｗは２３ｃｍとされている。試験用ケージ１００の内部には、図７に示す仕切板１０１が設けられており、試験用ケージ１００の内部は、仕切板１０１によって巣１０３と餌置き場１０４とに仕切られている。巣１０３には、給水瓶１０２が置かれている。図６に示す餌置き場１０４の寸法Ｌ１は３８ｃｍ、巣１０３の寸法Ｌ２は８ｃｍとされている。図７に示す仕切板１０１の高さは１７ｃｍとされており、供試動物が仕切板１０１を超えることができないようになっている。この試験用ケージ１００は、供試動物であるクマネズミの成獣（雌）を飼育しているケージである。仕切板１０３よりも奥側、即ち巣１０３の周りには板を貼って巣１０３を薄暗くするとともに、上記給水瓶１０２を置くことで供試動物が定着しやすい環境にした。供試動物は、全長が２５ｃｍ前後であり、体重は１２０ｇ程度のクマネズミである。
【００５９】
図７に示すように、仕切板１０１の下部には、出入り口１０１ａが形成されている。この出入り口１０１ａは巣穴の開口として設けている。出入り口１０１ａの高さＨ１は３ｃｍ、幅Ｗ１は３ｃｍとした。出入り口１０１ａの大きさは以下のようにして決定した。
【００６０】
まず、図８に示す出入り口確認用試験器具を用意する。出入り口確認用試験器具は、第１筒状部材３０１と第２筒状部材３０２と通路形成部材３０３と出入り口形成板（仕切板）３０４とを備えている。図８は出入り口確認用試験器具の平面図である。第１筒状部材３０１と第２筒状部材３０２とは上下方向に延びるように、かつ、それらの間に通路形成部材３０３が介在するように互いに間隔をあけて配置されている。第１筒状部材３０１と第２筒状部材３０２の直径は１２ｃｍである。通路形成部材３０３の長さは２５ｃｍである。通路形成部材３０３の内部には、水平方向に延びる通路３０３ａが形成されており、この通路３０３ａの一端部が第１筒状部材３０１の内部に連通し、他端部が第２筒状部材３０２の内部に連通している。通路３０３ａは、直径が４．０ｃｍの円形断面を有する通路である。
【００６１】
出入り口形成板３０４は、通路形成部材３０３の中間部に上下方向に延びるように配置されている。出入り口形成板３０４には、図９に示すように開口部３０４ａが形成されている。この開口部３０４ａが出入り口となる部分である。図９の左側に示すように、開口部３０４ａが正方形の出入り口形成板３０４と、図９の右側に示すように、開口部３０４ａが円形の出入り口形成板３０４とを用意した。また、開口部３０４ａが正方形の出入り口形成板３０４については、高さＨ１が２．５ｃｍ、幅Ｗ１が２．５ｃｍのものと、高さＨ１が２．０ｃｍ、幅Ｗ１が２．０ｃｍのものとを用意した。開口部３０４ａが円形の出入り口形成板３０４については、直径Ａが３．０ｃｍのものと、直径Ａが２．５ｃｍのものとを用意した。
【００６２】
第１筒状部材３０１に供試動物としてのクマネズミの成獣（雌）を入れ、この供試動物が通路３０３ａを通って第２筒状部材３０２まで移動できるか否かを観察した。開口部３０４ａが正方形の出入り口形成板３０４を取り付けた場合には、高さＨ１が２．５ｃｍ、幅Ｗ１が２．５ｃｍのものでは供試動物が通過できたが、高さＨ１が２．０ｃｍ、幅Ｗ１が２．０ｃｍのものでは供試動物が通過できなかった。また、開口部３０４ａが円形の出入り口形成板３０４を取り付けた場合には、直径Ａが３．０ｃｍのものでは供試動物が通過できたが、直径Ａが２．５ｃｍのものでは供試動物が通過できなかった。この結果より、図６に示す試験用ケージ１００の仕切板１０１の出入り口１０１ａの大きさを高さＨ１は３ｃｍ、幅Ｗ１は３ｃｍとし、クマネズミの成獣（雌）が通過するのに問題とならない大きさにした。実環境下においても、クマネズミの成獣が作る巣穴の大きさはこの程度になると考えられるためである。
【００６３】
試験日の夕方、図６に示す試験用ケージ１００の餌置き場１０４に殺鼠材１を２つ置いた。但し、供試動物の保護のため、殺鼠材１には殺鼠成分を除いた餌を収容した。翌日の朝まで１２時間ビデオで撮影し、撮影された映像を見て供試動物が殺鼠材１の袋体１０のどの部位を咥えて持ち運んだか確認した。供試動物は、３匹（クマネズミの雌の成獣１匹、クマネズミの雄の成獣２匹）用意し、それぞれについて同じ試験を行った。３匹とも全長は２５ｃｍ前後であり、体重は１２０ｇ程度である。
【００６４】
殺鼠材１を咥えて移動させた回数は、３匹合計で３８回であった。そのうち、折り曲げ部１３を咥えた割合は、約８０％であり、両端（第１シール部１４又は第２シール部１５）を咥えた割合は、約５％であった。つまり、殺鼠材１の折り曲げ部１３を咥える割合が極めて高いことが分かる。この理由は不明であるが、殺鼠材１を安定して持ち運ぶために重心近傍を咥えようとしているものと考えられる。更に、本実施形態の殺鼠材１の折り曲げ部１３は薄い板状であるため、当該折り曲げ部１３を鼠が咥えやすいものと考えられる。
【００６５】
図１０は、餌置き場１０４にある殺鼠材１を出入り口１０１ａから巣１０３に引き込むのに要する力を測定する様子を示している。上述したように、鼠は殺鼠材１の折り曲げ部１３を咥える割合が極めて高いので、図１０に示すように、殺鼠材１の折り曲げ部１３をクリップ２００で挟持し、このクリップ２００に紐２０１の一端部を取り付けた。紐２０１の他端部は、プッシュプルゲージ２０３に連結した。プッシュプルゲージ２０３は、ＫＯＭＵＲＡ製  Ｍａｘ  Ｃａｐａｃｉｔｙ  ３０ｋｇ  Ｒｅａｄａｂｉｌｉｔｙ  ０．２５ｋｇ  Ｍｏｄｅｌ  Ｓを使用した。
【００６６】
出入り口１０１ａの大きさは、高さＨ１が２．５ｃｍ、幅Ｗ１が２．５ｃｍとした。また実施例として、上述した構成の殺鼠材１を用意し、その殺鼠材１の長さは１３０ｍｍとし、幅Ｂは２０ｍｍとした。また比較例として、折り曲げ部１３が無い殺鼠材を用意し、その殺鼠材の長さは１３０ｍｍとし、幅Ｂは２０ｍｍとした。実施例の場合は、餌置き場１０４にある殺鼠材１を出入り口１０１ａから巣１０３に引き込む際に、折り曲げ部１３が容易に折れ曲がるので、プッシュプルゲージ２０３の指示値は、３回の平均で０．３ｋｇという、小さな値であった。一方、比較例の殺鼠材では、折り曲げ部１３が無いので、プッシュプルゲージ２０３の指示値は、３回の平均で０．５４ｋｇであり、実施例の２倍近い値であった。このように、殺鼠材１に折り曲げ部１３を設けることにより、当該殺鼠材１を鼠が巣１０３に引き込むのに要する力を大幅に低減できる。
【００６７】
次に、試験用ケージ１００内での実際の供試動物の動きについて図１１〜図１６に基づいて説明する。図１１〜図１６は試験用ケージ１００内の供試動物をビデオで撮影した映像を元にして描いた図である。図１１は、供試動物が餌置き場１０４にある殺鼠材１を咥えて持ち上げた様子を示している。この図に示すように、供試動物は殺鼠材１の長手方向中央部近傍、即ち折り曲げ部１３近傍を咥える。その後、図１２、図１３に示すように、供試動物は殺鼠材１を出入り口１０１ａ近傍まで運ぶと、一旦、出入り口１０１ａから離れる方向へ移動した後、図１４に示すように頭から出入り口１０１ａに入っていく。供試動物は出入り口１０１ａから巣１０３に入った後、向きを変え、図１５に示すように、頭を出入り口１０１ａから餌置き場１０４に出し、殺鼠材１の折り曲げ部１３近傍を咥える。供試動物は、図１６に示すように、そのまま後退していく。
【００６８】
このとき、殺鼠材１の折り曲げ部１３近傍を巣１０３の内部に向けて引っ張ることになるので、図１７及び図１８に示すように、殺鼠材１の長手方向両側が出入り口１０１ａの縁部に擦れて殺鼠材１に曲げ力が作用する。すると、殺鼠材１の折り曲げ部１３が折れ曲がるので、殺鼠材１が小さな力で巣１０３の内部に入る。
【００６９】
折り曲げ部１３を有する殺鼠材１の場合、図１１〜図１６に示すようにして餌置き場１０４にある殺鼠材１を出入り口１０１ａから巣１０３の内部に持ち帰る。図１１から図１６に示す状態となるまでに要する時間は約５秒（２回の平均）であった。
【００７０】
一方、折り曲げ部が無い比較例の場合、同じサイズで同じ重さの殺鼠材であっても、餌置き場１０４にある殺鼠材１を出入り口１０１ａから巣１０３の内部に持ち帰るのに要する時間は約１分２５秒であった。これは、殺鼠材の長さが出入り口１０１ａの寸法よりも長いので、殺鼠材が出入り口１０１ａの縁部に干渉してしまうからである。
【００７１】
（実施形態の作用効果）
以上説明したように、この実施形態に係る殺鼠材１によれば、鼠が袋体１０の折り曲げ部１３の近傍を咥えて巣１０３の出入り口１０１ａから巣１０３の内部に引き込もうとした際、袋体１０が折り曲げ部１３を起点として容易に折れ曲がるので、出入り口１０１ａの寸法よりも長い袋体１０であっても小さな力で巣１０３の内部に入るようになる。
【００７２】
なお前述のように、鼠はほとんどの場合に折り曲げ部１３の近傍を咥えるのであるが、殺鼠材１の端部を咥える場合もある。この点、前述のように、袋体１０の寸法Ｂは出入り口１０１ａの幅Ｗ１以下となっている。このため、鼠が殺鼠材１の端部を咥えた場合は、そのまま引っ張れば出入り口１０１ａに引っかかることなく巣１０３の内部に入れることができる。
【００７３】
言い換えれば、この実施形態に係る殺鼠材１は、鼠が咥える位置にかかわらず、巣１０３の内部に入れやすい形状となっている。従って、所定量以上の殺鼠用毒餌剤２０を収容可能な大きな袋体１０を備えた殺鼠材１であっても、鼠が自身の力で巣１０３の出入り口１０１ａから巣１０３の内部に入れやすくなる。よって、鼠の駆除効果を高めることができる。
【００７４】
（実施形態２）
図１９は、本発明の実施形態２に係る殺鼠材１を示すものである。実施形態２では、第１シール部１４と第２シール部１５とが設けられているとともに、折り曲げ部１３と、第１シール部１４及び第２シール部１５との延びる方向が相違している点で実施形態１のものと異なっており、他の部分は実施形態１と同じであるため、以下、実施形態１と同じ部分には同じ符号を付して説明を省略し、異なる部分について説明する。
【００７５】
すなわち、実施形態２では、実施形態１の変形例１のように袋体１０の長手方向両端部にそれぞれ第１シール部１４と第２シール部１５とが設けられている。第１シール部１４と第２シール部１５の延びる方向と、折り曲げ部１３が延びる方向とは交差する関係となっており、具体的には、第１シール部１４と第２シール部１５の延びる方向と、折り曲げ部１３が延びる方向とが略直交している。
【００７６】
この実施形態２においても実施形態１と同様な作用効果を奏することができる。
【００７７】
上述の実施形態はあらゆる点で単なる例示に過ぎず、限定的に解釈してはならない。さらに、特許請求の範囲の均等範囲に属する変形や変更は、全て本発明の範囲内のものである。
【００７８】
また本発明に係る殺鼠材１は、クマネズミ以外の鼠に対しても有効である。
【産業上の利用可能性】
【００７９】
以上説明したように、本発明に係る殺鼠材は、例えばクマネズミ等を駆除する場合に適用することができる。
【符号の説明】
【００８０】
１          殺鼠材
１０        袋体
１１        第１収容部
１２        第２収容部
１３        折り曲げ部
１４        第１シール部
１５        第２シール部
２０        殺鼠用毒餌剤
【図１】
2019140928.tif 000003
【図２】
2019140928.tif 000004
【図３】
2019140928.tif 000005
【図４】
2019140928.tif 000006
【図５】
2019140928.tif 000007
【図６】
2019140928.tif 000008
【図７】
2019140928.tif 000009
【図８】
2019140928.tif 000010
【図９】
2019140928.tif 000011
【図１０】
2019140928.tif 000012
【図１１】
2019140928.tif 000013
【図１２】
2019140928.tif 000014
【図１３】
2019140928.tif 000015
【図１４】
2019140928.tif 000016
【図１５】
2019140928.tif 000017
【図１６】
2019140928.tif 000018
【図１７】
2019140928.tif 000019
【図１８】
2019140928.tif 000020
【図１９】
2019140928.tif 000021